(57)【要約】【課題】所望の平面度を保ちつつ、羽根部材および当該光量調節装置の小型化、低コスト化を達成できる光量調節装置を提供する。【解決手段】地板に形成された開口部の面積を変化させて通過光量を調節する複数の羽根部材１を有する光量調節装置において、前記複数の羽根部材のうちの少なくとも１枚は樹脂により形成されており、該樹脂製の羽根部材は、前記開口部に対して進退して光量調節を行う作用部１ｃの羽根基材とは光軸方向の厚みが異なる肉厚形状部１ｄを有する形状をしている。【選択図】図１
2006337780.tif 000002
【特許請求の範囲】
【請求項１】
地板に形成された開口部の面積を変化させて通過光量を調節する複数の羽根部材を有する光量調節装置において、
前記複数の羽根部材のうちの少なくとも１枚は樹脂により形成されており、該樹脂製の羽根部材は、前記開口部に対して進退して光量調節を行う作用部の羽根基材とは光軸方向の厚みが異なる肉厚形状部を有することを特徴とする光量調節装置。
【請求項２】
前記樹脂製の羽根部材は、該羽根部材の回転中心となる第１の係合部および駆動源より羽根開閉のための動力が伝達される第２の係合部を有し、
前記肉厚形状部は、前記第１および第２の係合部の少なくとも一方を含む部分から該羽根部材の先端まで連続して形成されていることを特徴とする請求項１に記載の光量調節装置。
【請求項３】
前記樹脂製の羽根部材は、該羽根部材の回転中心となる第１の係合部および駆動源より羽根開閉のための動力が伝達される第２の係合部を有し、
前記肉厚形状部は、前記第１および第２の係合部の位置とは反対側の羽根部材先端部に形成されており、該肉厚形状部が地板に移動可能に係合していることを特徴とする請求項１に記載の光量調節装置。
【発明の詳細な説明】
【技術分野】
【０００１】
本発明は、ビデオカメラ、スチルカメラ、その他撮像装置に具備される絞り装置等の光量調節装置に関するものである。
【背景技術】
【０００２】
近年、ビデオカメラ・スチルカメラの小型化に伴い、撮影光学系の小型化も著しくなっている。撮影光学系を小型化するには、レンズ自体を小さくすることはもちろんであり、それに伴い撮影光透過用の開口の大きさを変化させる絞り装置も小型化する必要がある。
【０００３】
絞り装置として羽根同士を連結して駆動する方法が従来から用いられている。特許文献１には、図７に示すように、羽根基材１１１と、該羽根基材１１１に固定され、該羽根基材１１１を回転・駆動する２箇所の凸状係合部１１２および１１３から成り、これら羽根基材１１１および凸状係合部１１２，１１３が合成樹脂によって一体成形された絞り羽根１１０が開示されている。
【０００４】
また、従来の絞り装置は絞り羽根が薄肉で形成されており、駆動中に破損しないために絞り羽根の一部を厚肉で形成しているものがある。特許文献２には、図８に示すように、絞り羽根２１０の基端部２１１を他の部分より厚くすることで、駆動時の慣性モーメントが小さく、また駆動時に破損しにくい絞り羽根を有する絞り装置が開示されている。
【特許文献１】特開平６−３１７８２６号公報
【特許文献２】特開平９−１１３９５４号公報
【発明の開示】
【発明が解決しようとする課題】
【０００５】
しかしながら、特許文献１の絞り装置では、凸状係合部１１２，１１３が羽根基材１１１のある箇所に集中しているため、凸状係合部１１２，１１３がある部分とない部分で成形時の収縮が異なり、絞り羽根１１０が反ってしまい、所望の平面度を得られないという問題がある。さらには、凸状形状部１１２，１１３のみの成形だと羽根同士を直接連結する事が不可能であり、絞りを形成するためには各絞り羽根を連結するための部品が必要となり、部品点数が増大して大型化していた。
【０００６】
また、特許文献２の絞り装置では、シャッタを兼ねる絞り羽根本体２１２に補強用羽根２１３をかしめ加工によって両者を固定することで基端部を形成しているため、羽根製作の工数が増大するとともに、コストが高くなるものであった。
【０００７】
（発明の目的）
本発明の目的は、所望の平面度を保ちつつ、羽根部材および当該光量調節装置の小型化、低コスト化を達成できることのできる光量調節装置を提供しようとするものである。
【課題を解決するための手段】
【０００８】
上記目的を達成するために、本発明は、地板に形成された開口部の面積を変化させて通過光量を調節する複数の羽根部材を有する光量調節装置において、前記複数の羽根部材のうちの少なくとも１枚が樹脂により形成されており、該樹脂製の羽根部材が、前記開口部に対して進退して光量調節を行う作用部の羽根基材とは光軸方向の厚みが異なる肉厚形状部を有する光量調節装置とするものである。
【発明の効果】
【０００９】
本発明によれば、所望の平面度を保ちつつ、所望の平面度を保ちつつ、羽根部材および当該光量調節装置の小型化、低コスト化を達成できる光量調節装置を提供できるものである。
【発明を実施するための最良の形態】
【００１０】
本発明を実施するための最良の形態は、以下の実施例１ないし実施例３に示す通りである。
【実施例１】
【００１１】
図１は本発明の実施例１に係わる絞り羽根の斜視図、図２は図１の絞り羽根を組み込んだ絞り装置の斜視図である。まず、図２を用いて本実施例１における絞り装置の構成を説明する。
【００１２】
図２において、１，２，３は絞り羽根、４は絞り羽根１〜３を支持する地板、５，６は不図示の駆動源の駆動軸（もしくは駆動源に係合した駆動軸）である。上記絞り羽根１および２の孔形状をした第１の係合部１ａおよび２ａは、地板４に植設された軸４ａ，４ｂにそれぞれ係合している。また、絞り羽根１および２の長孔形状をした第２の係合部１ｂおよび２ｂは、不図示の駆動源の駆動軸５と係合している。また、上記絞り羽根３の孔形状の第１の係合部３ａは、地板４に植設された軸４ｃに係合し、長孔形状の第２の係合部３ｂは、不図示の別の駆動源の駆動軸６と係合している。
【００１３】
上記構成の絞り装置においては、不図示の駆動源からの動力が駆動軸５，６を介して絞り羽根１〜３に伝達されると、該絞り羽根１〜３それぞれが第１の係合部１ａ，２ａ，３ａを中心として回転運動をして地板４に形成された開口部４ｄに対して進退し、該開口部４ｄの開口面積を変化、つまり該開口部４ｄの通過光量を変化させ、光量調節を行うことになる。
【００１４】
次に、図１を用いて絞り羽根１について、詳しく説明する。絞り羽根１は、上記したように回転中心となる第１の係合部１ａおよび不図示の駆動源より動力が伝達される駆動軸５と係合する第２の係合部１ｂを有しており、これら第１の係合部１ａおよび第２の係合部１ｂを含む部分から羽根先端に向かって、光量調節を行う作用部１ｃである羽根基材よりも光軸方向の厚みが厚くなっている肉厚形状部１ｄを有している。さらには、前記作用部１ｃは斜面形状（肉厚形状部１ｄ側に向かって徐々に厚くなる形状）をしている。そして、これら全ての部分が、つまり絞り羽根１の全てが樹脂で一体成形されている。
【００１５】
なお、この実施例１では、絞り羽根２，３も樹脂により形成している例を示しているが、上記肉厚形状部１ｄを有する絞り羽根１のみが樹脂製であっても良い。
【００１６】
上記実施例１によれば、少なくとも絞り羽根１を樹脂により形成しているので、第１および第２の係合部１ａ，１ｂ、肉厚形状部１ｄを、従来のようにかしめ加工により形成する必要が無くなり、羽根製作の工数を減らすことができ、絞り装置を低コスト化することができる。また、不図示の駆動源の駆動軸５，６を第２の係合部１ｂ〜３ｂに直接伝達して絞り羽根１〜３を開閉させることができるので、部品点数が減り、小型化することも可能である。
【００１７】
また、光量調節を行う作用部１ｃ等の羽根基材より肉厚とした肉厚形状部１ｄを形成しているので、絞り羽根１の強度が高まるとともに反りが軽減され、平面度が良くなる。
【００１８】
また、肉厚形状部１ｄが、絞り羽根３の光軸方向の受け面となるため、絞り羽根１〜３の開閉時において、絞り羽根１と３の間隔を精度良く保つことができる。さらには、光量調節を行う（開口部４ｄの開口面積を変化させる）部分である作用部１ｃが斜面形状となっているので、フレアの防止となる。
【実施例２】
【００１９】
図３は本発明の実施例２に係わる絞り羽根の表面側及び裏面側の斜視図、図４は図３の絞り羽根及び更にＮＤフィルタを組み込んだ絞り装置の斜視図である。図３および図４では一部を除いて、上記実施例１と同様の構成であり、ここでは説明の便宜上、先に示した構成部材と同一のものに対しては同一の符号を付し、必要に応じて適宜説明し、実施例１と異なる構成部材に新たな符号を付して説明する。
【００２０】
図３および図４に示すように、絞り羽根３１は、回転中心となる第１の係合部３１ａおよび不図示の駆動源の駆動軸５と係合する第２の係合部３１ｂと、段付き軸３１ｄと、２個の半球状の突起部３１ｅを有している。
【００２１】
半球状の突起部３１ｅは、絞り羽根３１の回転中心となる第１の係合部３１ａからそれぞれ異なる距離に配置されており、図４に示すように絞り装置に組み込んだ際には、２個の該突起部３１ｅは地板４に接触するような高さとなっている。このため、地板４と絞り羽根３１の接触面が点となるため、駆動時の摩擦を軽減する事ができる。なお、本実施例２では、半球状の突起部３１ｅは地板４と接触するような位置に設けてあるが、上下の絞り羽根２もしくは３と接触するようにしても良い。
【００２２】
また、段付き軸３１ｄは、図３（ａ）に示すように途中からその径が異なる、つまり太い径の軸部３１ｄａと細い径の軸部３１ｄｂからなるものであり、さらには該段付き軸３１ｄと垂直方向に羽根押さえのための突起部３１ｄｃを有している。また、絞り羽根３１の第１の係合部３１ａを含む部分から段付き軸３１ｄに向かって、光量調節を行うための作用部３１ｆである羽根基材面よりも光軸方向の厚みが厚くなっている肉厚形状部３１ｃを有し、かつ今まで述べたこれら全ての部分が樹脂で一体成形されている。
【００２３】
図４に示すように、段付き軸部３１ｄの太い径の軸部３１ｄａは、別の絞り羽根３３のカム溝３３ａと係合している。その際、突起部３１ｄｃによって、絞り羽根３３が抜けないように構成されている。また、肉厚形状部３１ｃの一部は、絞り羽根３３の回転軸４ｃを中心とする円弧となっている。
【００２４】
先に述べたように、絞り羽根３１の段付き軸３１ｄは、途中からその径が異なるものであり、また絞り羽根３３には、回転軸中心となる回転軸４ｃに係合する係合部３３ｂを有する突起部３３ｃが設けられている。そのため、図４（ｂ）に示すように絞り羽根３３の回転軸４ｃにＮＤフィルタ３４を配置可能となる。その際には、段付き軸３１ｄの軸部３１ｄａおよび突起部３１ｄｃの上面３１ｄｄと絞り羽根３３の突起部面３３ｃａがＮＤフィルタ３４の受け面となり、該ＮＤフィルタ３４のカム溝３４ａと絞り羽根３１ｄの細い径の軸３１ｄｂが係合し、絞り羽根３３と同じ回転軸を中心として、ＮＤフィルタ３４は回転する。
【００２５】
以上の実施例２によれば、少なくとも絞り羽根３１を樹脂により形成しているので、第１および第２の係合部３１ａ，３１ｂ、肉厚形成部３１ｃを、従来のようにかしめ加工により形成する必要が無くなり、羽根製作の工数を減らすことができ、絞り装置を低コスト化することができる。また、不図示の駆動源の駆動軸５を係合部３１ｂ，２ｂに直接伝達して絞り羽根３１，２を開閉させることができるので、部品点数が減り、小型化することも可能である。
【００２６】
また、光量調節を行う作用部３１ｆ等の羽根基材より肉厚とした肉厚形状部３１ｃを形成しているので、絞り羽根３１の強度が高まるとともに反りが軽減され、平面度が良くなる。
【００２７】
また、絞り羽根３１に段付き軸３１ｄを形成しているので、別の絞り羽根３３とＮＤフィルタ３４の２枚を絞り羽根３１に係合させ、かつ駆動する事が可能となり、また突起部３１ｄｃを設けることで、絞り羽根３３がガタなく駆動する事が可能となる。
【００２８】
さらには、段付き軸３１ｄの上面３１ｄｄと絞り羽根３３の突起面３３ｃａを利用してＮＤフィルタ３４と絞り羽根３３の間隔を一定に保って精度良く駆動する事が可能となる。
【実施例３】
【００２９】
図５は本発明の実施例３に係わる絞り羽根の斜視図、図６は図５の絞り羽根を組み込んだ絞り装置の斜視図である。図５および図６では一部を除いて、上記実施例1，２と同様の構成であり、ここでは説明の便宜上、先に示した構成部材と同じくものに対しては同一の符号を付し、必要に応じて適宜説明し、実施例1，２と異なる構成部材に新たな符号を付して説明する。
【００３０】
図５に示すように、絞り羽根５１は、回転中心となるフック状の第１の係合部５１ａと不図示の駆動源の駆動軸５と係合する長孔状の第２の係合部５１ｂと、光量調節を行うための作用部５１ｄである羽根基材面よりも光軸方向の厚みが厚くなっているフック状の第３の係合部５１ｃを有し、これら全ての形状が樹脂で一体成形されている。そして、図６に示すように、第１の係合部５１ａおよび第３の係合部５１ｃは、それぞれ地板５４の係合孔５４ａ及びカム溝５４ｂと係合している。
【００３１】
同様に、絞り羽根５２も第１の係合部５２ａ(不図示)、第２の係合部５２ｂおよびフック状の第３の係合部５２ｃを有し、第１の係合部５２ａが地板５４の係合孔（不図示）に係合し、第２の係合部５２ｂが不図示の駆動源の駆動軸５と係合し、フック状の第３の係合部５２ｃが地板５４のカム溝５４ｃと係合している。
【００３２】
以上の実施例３によれば、少なくとも絞り羽根５１を樹脂により形成しているので、第１および第２の係合部５１ａ，５１ｂや、肉厚形成部であるフック状の第３の係合部５１ｃを、従来のようにかしめ加工等により形成する必要が無くなり、羽根製作の工数を減らすことができ、絞り装置を低コスト化することができる。また、不図示の駆動源の駆動軸５を第２の係合部５１ｂ，５２ｂに直接伝達して絞り羽根５１，５２を開閉させることができるので、部品点数が減り、小型化することも可能である。
【００３３】
また、光量調節を行う作用部５１ｄ等の羽根基材より肉厚の部分である第３の係合部５１ｃを形成して、これを地板５４のカム溝５４ｂに係合するようにしているので、絞り羽根５１の反りが軽減され、平面度が良くなる。
【００３４】
また、上記のように第３の係合部５１ｃ，５２ｃを地板５４のカム溝５４ｂ，５４ｃに係合させるようにしているので、絞り羽根５１および５２を押さえるためのカバー板が必要なくなり、光軸方向の占有スペースが小さくなり、小型化を達成可能となる。
【００３５】
上記実施例１〜３においては、複数の絞り羽根を有する絞り装置について述べたが、複数のシャッタ羽根を有するシャッタ装置や、開口部に対して進退することで光量調節を行う複数のフィルタ部材を有する装置等、光量調節を行うための複数の羽根部材を有する光量調節装置であれば同様に適用可能である。
【図面の簡単な説明】
【００３６】
【図１】本発明の実施例１に係わる絞り羽根の一部を示す斜視図である。
【図２】図１の実施例１の絞り羽根を組み込んだ絞り装置を示す斜視図である。
【図３】本発明の実施例２に係わる絞り羽根の一部を示す斜視図である。
【図４】図３の絞り羽根を組み込んだ絞り装置を示す斜視図である。
【図５】本発明の実施例３に係わる絞り羽根の一部を示す斜視図である。
【図６】図５の絞り羽根を組み込んだ絞り装置を示す斜視図である。
【図７】従来の絞り羽根の一例を示す平面図である。
【図８】従来の絞り羽根の他の例を示す平面図である。
【符号の説明】
【００３７】
１〜３                絞り羽根
１ａ，２ａ，３ａ      第１の係合部
１ｂ，２ｂ，３ｂ      第２の係合部
１ｃ                  光量調節を行う作用部
１ｄ                  肉厚形状部
４                    地板
５，６                駆動軸
３１〜３３            絞り羽根
３１ａ                第１の係合部
３１ｂ                第２の係合部
３１ｃ                肉厚形状部
３１ｆ                光量調節を行う作用部
３３ａ，３４ａ        カム溝
３３ｂ                係合部
５１，５２            絞り羽根
５１ａ                第１の係合部
５１ｂ，５２ｂ        第２の係合部
５１ｃ，５２ｃ        肉厚状の第３の係合部
５１ｄ                光量調節を行う作用部
５４                  地板
５４ａ                係合孔
５４ｂ，５４ｃ        カム溝
【図１】
2006337780.tif 000003
【図２】
2006337780.tif 000004
【図３】
2006337780.tif 000005
【図４】
2006337780.tif 000006
【図５】
2006337780.tif 000007
【図６】
2006337780.tif 000008
【図７】
2006337780.tif 000009
【図８】
2006337780.tif 000010